(57)【要約】【課題】複数の静止画像データから生成されたサムネイル画像を含む一覧画面を表示する際に、画像の内容を迅速に把握できるようにする。【解決手段】メディアＭから複数の静止画像データＳ０を順次読み出し、静止画像データＳ０により表される画像の中央領域画像を順次抽出し、これを順次一覧画面に含めてテレビ３に表示する。画像の中央領域は撮影の対象となる被写体が含まれていることが多いため、中央領域画像を参照すれば、その画像がどのような画像であるか把握できる。続いて、静止画像データＳ０からサムネイル画像データを順次生成し、中央領域画像に代えて一覧画面に含めてテレビ３に表示する。【選択図】　　　　　図１
2004120605.tif 000002
【特許請求の範囲】
【請求項１】
複数の画像データのそれぞれについてのサムネイル画像を含む一覧画面を表示手段に表示する画像表示方法において、
前記複数の画像データについて、該各画像データにより表される画像の中央領域に対応する中央領域画像を抽出し、該抽出された中央領域画像を前記一覧画面に含めて表示し、
全ての前記画像データについての前記中央領域画像を前記一覧画面に含めて表示した後、前記全ての画像データについて前記サムネイル画像を前記中央領域画像に代えて前記一覧画面に含めて表示することを特徴とする画像表示方法。
【請求項２】
前記複数の画像データが圧縮されてなることを特徴とする請求項１記載の画像表示方法。
【請求項３】
前記複数の画像データが複数の領域に分割され、該複数の領域毎に圧縮されてなり、
前記複数の領域のうち前記中央領域に対応する領域のみを先に解凍することにより、該中央領域画像を抽出することを特徴とする請求項１記載の画像表示方法。
【請求項４】
複数の画像データのそれぞれについてのサムネイル画像を含む一覧画面を表示手段に表示する画像表示装置において、
前記複数の画像データについて、該各画像データにより表される画像の中央領域に対応する中央領域画像を抽出し、該抽出された中央領域画像を前記一覧画面に含めて表示し、全ての前記画像データについての前記中央領域画像を前記一覧画面に含めて表示した後、前記全ての画像データについて前記サムネイル画像を前記中央領域画像に代えて前記一覧画面に含めて表示するサムネイル画像生成手段をさらに備えたことを特徴とする画像表示装置。
【請求項５】
前記複数の画像データが圧縮されてなることを特徴とする請求項４記載の画像表示装置。
【請求項６】
前記複数の画像データが複数の領域に分割され、該複数の領域毎に圧縮されてなる場合、
前記サムネイル画像生成手段は、前記複数の領域のうち前記中央領域に対応する領域のみを先に解凍することにより、該中央領域画像を抽出する手段であることを特徴とする請求項４記載の画像表示装置。
【請求項７】
請求項４から６のいずれか１項記載の画像表示装置を備えたことを特徴とするＤＶＤプレーヤー。
【請求項８】
複数の画像データのそれぞれについてのサムネイル画像を含む一覧画面を表示手段に表示する画像表示方法をコンピュータに実行させるためのプログラムにおいて、
前記複数の画像データについて、該各画像データにより表される画像の中央領域に対応する中央領域画像を抽出し、該抽出された中央領域画像を前記一覧画面に含めて表示する手順と、
全ての前記画像データについての前記中央領域画像を前記一覧画面に含めて表示した後、前記全ての画像データについて前記サムネイル画像を前記中央領域画像に代えて前記一覧画面に含めて表示する手順とを有するプログラム。
【請求項９】
前記複数の画像データが圧縮されてなる請求項８記載のプログラム。
【請求項１０】
前記複数の画像データが複数の領域に分割され、該複数の領域毎に圧縮されてなる場合、
前記中央領域画像を前記一覧画面に含めて表示する手順は、前記複数の領域のうち前記中央領域に対応する領域のみを先に解凍することにより、該中央領域画像を抽出する手順を有する請求項８記載のプログラム。
【発明の詳細な説明】
【０００１】
【発明の属する技術分野】
本発明は、ＤＶＤやＣＤ等の記録媒体に記録された静止画像を表す画像データを再生する際に、各画像データのサムネイル画像を含む一覧画面をテレビ等の表示手段に表示する画像表示方法および装置並びに画像表示方法をコンピュータに実行させるためのプログラムに関するものである。
【０００２】
【従来の技術】
ＤＶＤプレーヤーは、ＤＶＤに記録された映画を家庭用のテレビにおいて再生したり、ＣＤに記録された音楽を再生して楽しむことができる。一方、ＤＶＤやＣＤ等のメディアに記録された静止画像を表す静止画像データをＤＶＤプレーヤーにより表示することも可能となってきている。これにより、デジタルカメラにより取得した画像データや、フイルムに記録された画像を読み取ることにより得た画像データをメディアに記録すれば、自身が撮影した画像を家庭用のテレビに表示して家族や友人とともに楽しむことができる。
【０００３】
【発明が解決しようとする課題】
ところで、メディアには複数の静止画像データを記録することができるため、複数の画像データにより表される画像のサムネイル画像を生成し、これを一覧画面に含めて表示することにより、表示する画像の内容を容易に理解して画像の選択を容易に行うことができる。
【０００４】
しかしながら、サムネイル画像を生成するためには画像データを縮小する必要がある。とくに、画像データは圧縮されていることが多いため、サムネイル画像の生成時にはまず画像データを解凍し、解凍して得られた画像データをさらに縮小する処理を行う必要がある。ここで、多くの家庭において使用される汎用型のＤＶＤプレーヤーは、比較的安価なＣＰＵのみしか使用していないため、サムネイル画像を生成する処理に時間を要する。とくに、ＤＶＤのようなメディアは容量が大きいために多数の画像データが記録されていることが多いため、ＤＶＤに記録された画像データを再生しようとしているユーザは、全ての画像データについてサムネイル画像を生成するのに長時間待つ必要があり、その結果、メディアに記録された画像の内容を把握するのに時間を要するという問題がある。
【０００５】
本発明は上記事情に鑑みなされたものであり、メディアに記録された画像データを再生する際に、画像の内容を迅速に把握できるようにすることを目的とする。
【０００６】
【課題を解決するための手段】
本発明による画像表示方法は、複数の画像データのそれぞれについてのサムネイル画像を含む一覧画面を表示手段に表示する画像表示方法において、
前記複数の画像データについて、該各画像データにより表される画像の中央領域に対応する中央領域画像を抽出し、該抽出された中央領域画像を前記一覧画面に含めて表示し、
全ての前記画像データについての前記中央領域画像を前記一覧画面に含めて表示した後、前記全ての画像データについて前記サムネイル画像を前記中央領域画像に代えて前記一覧画面に含めて表示することを特徴とするものである。
【０００７】
「中央領域」とは、画像の中心部分を含み、画像データにより表される画像のサイズよりも小さい所定範囲の領域をいう。
【０００８】
なお、本発明による画像表示方法においては、前記複数の画像データが圧縮されてなるものであってもよい。
【０００９】
また、本発明による画像表示方法においては、前記複数の画像データが複数の領域に分割され、該複数の領域毎に圧縮されてなる場合に、
前記複数の領域のうち前記中央領域に対応する領域のみを先に解凍することにより、該中央領域画像を抽出するようにしてもよい。
【００１０】
本発明による画像表示装置は、複数の画像データのそれぞれについてのサムネイル画像を含む一覧画面を表示手段に表示する画像表示装置において、
前記複数の画像データについて、該各画像データにより表される画像の中央領域に対応する中央領域画像を抽出し、該抽出された中央領域画像を前記一覧画面に含めて表示し、全ての前記画像データについての前記中央領域画像を前記一覧画面に含めて表示した後、前記全ての画像データについて前記サムネイル画像を前記中央領域画像に代えて前記一覧画面に含めて表示するサムネイル画像生成手段をさらに備えたことを特徴とするものである。
【００１１】
なお、本発明による画像表示装置においては、前記複数の画像データが圧縮されてなるものであってもよい。
【００１２】
また、本発明による画像表示装置においては、前記複数の画像データが複数の領域に分割され、該複数の領域毎に圧縮されてなる場合、
前記サムネイル画像生成手段を、前記複数の領域のうち前記中央領域に対応する領域のみを先に解凍することにより、該中央領域画像を抽出する手段としてもよい。
【００１３】
本発明によるＤＶＤプレーヤーは、本発明による画像表示装置を備えたことを特徴とするものである。
【００１４】
なお、本発明による画像表示方法をコンピュータに実行させるためのプログラムとして提供してもよい。
【００１５】
【発明の効果】
本発明によれば、複数の画像データについて、各画像データにより表される画像の中央領域に対応する中央領域画像が抽出され、抽出された中央領域画像が一覧画面に含められて表示される。そして、全ての画像データについて中央領域画像が一覧画面に含められて表示されると、全ての画像データについてのサムネイル画像が中央領域画像に代えて一覧画面に含められて表示される。
【００１６】
ここで、画像の中央領域には撮影の対象となる被写体が含まれていることが多いため、中央領域画像を参照すれば、その画像がどのような内容のものであるか理解できることが非常に多い。本発明によれば、画像の中央領域に対応する中央領域画像がサムネイル画像よりも先に表示されるため、画像を再生しようとしているユーザは、複数の画像データの全てについてサムネイル画像が一覧画面に表示されるまで待つことなく、画像の内容を迅速に把握することができる。
【００１７】
とくに、画像データが圧縮されている場合には、サムネイル画像を生成するために画像データを解凍する処理を行う必要があるため、サムネイル画像の生成にさらに長時間を要する。したがって、とくに画像データが圧縮されている場合においては、中央領域画像を抽出して一覧画面に含めて表示することにより、より短い時間で画像の内容を把握することができる。
【００１８】
また、複数の画像データが複数の領域に分割されて領域毎に圧縮されてなる場合には、複数の領域のうち中央領域に対応する領域を先に解凍することにより、中央領域画像の抽出を簡易に行うことができ、その結果、画像の内容をより迅速に把握することができる。
【００１９】
【発明の実施の形態】
以下図面を参照して本発明の実施形態について説明する。図１は本発明の実施形態による画像表示装置を適用したＤＶＤプレーヤーの構成を示す概略ブロック図である。図１に示すように、本実施形態によるＤＶＤプレーヤー１は、メディアＭの挿入を受け付けてメディアＭに記録された動画像データ、静止画像データおよび音声データ等を読み出すメディアドライブ１１と、動画像データ、静止画像データおよび音声データをデコードするデコーダー１２と、動画像データ、静止画像データおよび音声データを再生等するためのプログラムや種々の情報を記録したＲＯＭ１３と、種々のデータを一時的に記憶したり、処理の作業領域となるＲＡＭ１４と、リモコン１５からの操作を受け付ける受信部１６と、テレビ３を接続するためのテレビ端子１７と、メモリカードリーダー、ハードディスク、プリンタ等の外部機器を接続するためのＵＳＢ、ＩＥＥＥ等の規格からなる入出力端子１８と、後述するように静止画像データＳ０の再生時にサムネイル画像を含む一覧画面を生成するサムネイル画像生成手段２１と、メディアドライブ１１、デコーダー１２、ＲＯＭ１３、ＲＡＭ１４、受信部１６、テレビ端子１７、入出力端子１８およびサムネイル画像生成手段２１を制御するＣＰＵ１９とを備える。
【００２０】
メディアＭにはパソコン４において、デジタルカメラ５により取得された複数の静止画像データＳ０が記録される。
【００２１】
ここで、メディアＭに記録される動画像データ、静止画像データおよび音声データは、それぞれＭＰＥＧ、ＪＰＥＧ等の形式により圧縮されている。デコーダー１２は、メディアＭに記録された圧縮された動画像データ、静止画像データおよび音声データを解凍し、再生のためにテレビ端子１７に入力するものである。なお、動画像データ、静止画像データおよび音声データのそれぞれについて専用のデコーダー１２を設けてもよいが、装置の小型化および低コスト化の観点から、動画像データ、静止画像データおよび音声データで兼用のデコーダー１２を設けることが好ましい。また、動画像データの再生時には、画像と音声とを別個にデコードする必要がある場合があるため、動画像データ用のデコーダー１２と、音声データおよび静止画像データ用のデコーダー１２とを設けることが好ましい。
【００２２】
ＲＯＭ１３には、ＤＶＤプレーヤー１の動作プログラムが記録される。この動作プログラムは、データの再生をＣＰＵ１９に行わせるものであり、その操作は受信部１６が受信したリモコン１５の操作に基づいて行われる。
【００２３】
ここで、データの再生が指示された場合には、再生するデータをユーザに選択させる画面がテレビ３に表示され、ユーザがリモコン１５により選択したデータをテレビ３に再生するように、メディアドライブ１１、デコーダー１２およびＣＰＵ１９がプログラムにより駆動される。
【００２４】
例えば、ユーザが動画像データを記録したメディアＭをメディアドライブ１１に挿入して動画像データの再生の指示を行った場合には、メディアドライブ１１によりメディアＭに記録された動画像データが読み出され、デコーダー１２によりデコードされる。そして、デコードされた動画像データがテレビ端子１７から出力されてテレビ３に動画像が再生される。
【００２５】
また、ユーザが静止画像データを記録したメディアＭをメディアドライブ１１に挿入して静止画像データの再生の指示を行った場合には、メディアドライブ１１によりメディアＭに記録された静止画像データが読み出され、デコーダー１２によりデコードされる。そして、デコードされた静止画像データがテレビ端子１７から出力されてテレビ３に静止画像が再生される。なお、複数の静止画像データがメディアに記録されている場合には、複数の静止画像データをサムネイル表示し、ここで選択されたサムネイル画像に対応する静止画像データが再生される。なお、サムネイル画像の生成はサムネイル画像生成手段２１において行われる。
【００２６】
また、ユーザが音声データを記録したメディアＭをメディアドライブ１１に挿入して音声データの再生の指示を行った場合には、メディアドライブ１１によりメディアＭに記録された音声データが読み出され、デコーダー１２によりデコードされる。そして、デコードされた音声データがテレビ端子１７から出力されてテレビ３において音声が再生される。なお、入出力端子１８にステレオやスピーカーを接続し、ステレオやスピーカーにより音声を再生するようにしてもよい。
【００２７】
なお、ＲＯＭ１３に代えて、専用チップによりデータの再生を行うようにしてもよい。
【００２８】
受信部１６は、リモコン１５によりユーザにより操作された操作内容を表す赤外線を受信し、その操作内容に応じてＤＶＤプレーヤー１を駆動する指示をＣＰＵ１９に入力する。ここで、リモコン１５により、動画像データ、静止画像データおよび音声データの再生並びに種々の設定等、ＤＶＤプレーヤー１の全ての操作を行うことができる。
【００２９】
サムネイル画像生成手段２１は、静止画像データＳ０の再生が指示された場合に、メディアＭから静止画像データＳ０を例えばファイル名順に読み出し、まず、静止画像データＳ０により表される静止画像の中央領域に対応する中央領域画像を抽出し、これを一覧画面にファイル名順に含めてテレビ端子１７を通じてテレビ３に出力する。これにより、中央領域画像のみが含められた一覧画面がテレビ３に表示される。そして、全ての静止画像データＳ０について、中央領域画像のみからなる一覧画面を表示した後、各静止画像データＳ０により表される画像を縮小したサムネイル画像を表すサムネイル画像データを生成し、生成したサムネイル画像データにより表されるサムネイル画像を順次中央領域画像に代えて一覧画面に含めてテレビ３に出力する。
【００３０】
ここで、中央領域画像の抽出について具体的に説明する。静止画像データＳ０が図２に示すように複数の領域Ａ１〜Ａ９に分割され、各領域毎に圧縮されたファイル構造を有する場合には、領域Ａ５を解凍して領域Ａ５に対応する領域画像データを得、これをその静止画像データＳ０についての中央領域画像として一覧画面に含める。なお、静止画像データＳ０が圧縮されていない場合には、領域Ａ５に対応する領域画像データにより表される画像をそのまま中央領域画像として一覧画面に含める。
【００３１】
また、ＪＰＥＧ形式の画像データは、画像を例えば８×８画素の複数のブロックに分割してデータを圧縮している。このため、静止画像データＳ０がＪＰＥＧ形式により圧縮されている場合には、中央領域に対応するブロックのみを先に解凍して中央領域に対応する領域画像データを得、この領域画像データにより表される画像を中央領域画像として一覧画面に含めればよい。
【００３２】
また、図３に示すように、静止画像データＳ０がラスタ走査されつつ圧縮されたファイル構造を有する場合において、画像が２つの領域Ａ１１，Ａ１２に分割され、中央領域を含む領域Ａ１２を特定するマーキングＳ，Ｅが付与されている場合には、マーキングＳ，Ｅを検出し、マーキングＳ，Ｅの間のデータを解凍して領域Ａ１２に対応する領域画像データを得、この領域画像データにより表される画像を中央領域画像として一覧画面に含めればよい。
【００３３】
これにより、静止画像データＳ０が図２に示すファイル構造を有する場合と比較して、中央領域に対応する領域Ａ５を探索する必要がなくなるため、高速に中央領域画像を抽出できる。さらに、静止画像データＳ０からサムネイル画像を表すサムネイル画像データを生成する場合にも、静止画像データＳ０が図２に示すファイル構造を有する場合と比較して、領域を繋げる処理を行う必要がなくなるため、高速に静止画像データＳ０を解凍することができる。
【００３４】
なお、領域Ａ１１に対応するデータのみを圧縮し、領域Ａ１２に対応するデータを圧縮しないで静止画像データＳ０を生成することができるが、その場合には、領域Ａ１２に対応する領域画像データにより表される画像をそのまま中央領域画像として一覧画面に含めればよい。
【００３５】
さらに、図４に示すように、静止画像データＳ０のヘッダに中央領域Ａ２１に対応する領域画像データＳ（Ａ２１）が付与されているファイル構造を有する場合がある。この場合は静止画像データＳ０に付与された領域画像データＳ（Ａ２１）により表される画像をそのまま中央領域画像として一覧画面に含めればよい。
【００３６】
なお、領域画像データＳ（Ａ２１）が圧縮されている場合には、領域画像データＳ（Ａ２１）を先に解凍し、解凍された領域画像データＳ（Ａ２１）により表される画像を、その静止画像データＳ０についての中央領域画像として一覧画面に含めればよい。
【００３７】
ここで、静止画像データＳ０を図４に示すファイル構造を有するものとすることにより、静止画像データＳ０の生成を高速に行うことができる。また、ヘッダから領域画像データＳ（Ａ２１）を読み出すのみで中央領域の一覧画面を生成できるため、一覧画面の生成を高速に行うことができる。
【００３８】
以上のように、サムネイル画像生成手段２１により、全ての静止画像データＳ０についてまず中央領域画像のみが一覧画面に含められてテレビ３に表示される。図５は中央領域画像のみを含む一覧画面を示す図である。そして、全ての静止画像データＳ０について中央領域画像のみからなる一覧画面を表示されると、次いで、ファイル名順に静止画像データＳ０からサムネイル画像データが生成されて、サムネイル画像データにより表されるサムネイル画像が中央領域画像に代えて一覧画面に含められる。図６は、図５に示す一覧画面において、上段の中央領域画像がサムネイル画像に置き換わった状態を示す図である。この状態からさらに下段の中央領域画像がサムネイル画像に置き換わり、最終的には、サムネイル画像のみを含む一覧画面がテレビ３に表示されることとなる。
【００３９】
次いで、本実施形態の動作について説明する。図７は本実施形態において行われる処理を示すフローチャートである。なお、ここではメディアＭに記録された静止画像データの再生の指示が、メディアＭをメディアドライブ１１に挿入した後に表示される初期画面において行われたものとする。まず、メディアドライブ１１によりメディアＭからファイル名が先頭の静止画像データＳ０が読み出され（ステップＳ１）、中央領域画像が抽出される（ステップＳ２）。抽出された中央領域画像は一覧画面に含められてテレビ３に表示される（ステップＳ３）。
【００４０】
次いで、全ての静止画像データＳ０について中央領域画像を抽出したか否かが判定され（ステップＳ４）、ステップＳ４が否定されると、次のファイル名の静止画像データＳ０が読み出され（ステップＳ５）、ステップＳ２に戻る。これにより、メディアＭに記録された静止画像データＳ０についてファイル名順に中央領域画像が抽出されて一覧画面がテレビ３に表示される。
【００４１】
一方、ステップＳ４が肯定されると、ファイル名順に静止画像データＳ０からサムネイル画像を表すサムネイル画像データが生成される（ステップＳ６）。生成されたサムネイル画像データにより表されるサムネイル画像は、対応する中央領域画像に代えて一覧画面に含められてテレビ３に表示される（ステップＳ７）。次いで、全ての静止画像データＳ０についてサムネイル画像データが生成されたか否かが判定され（ステップＳ８）、ステップＳ８が否定されると、次のファイル名の静止画像データＳ０のサムネイル画像データが生成され（ステップＳ９）、ステップＳ７に戻る。これにより、メディアＭに記録された静止画像データＳ０についてファイル名順にサムネイル画像が順次中央領域画像に代えて一覧画面に含められてテレビ３に表示される。
【００４２】
一方、ステップＳ８が肯定されると、全ての静止画像データＳ０についてサムネイル画像を生成したものとして処理を終了する。
【００４３】
このように、本実施形態によれば、複数の静止画像データＳ０について、中央領域画像を先に抽出し、抽出した中央領域画像を一覧画面に含めてテレビ３に表示し、全ての静止画像データＳ０について中央領域画像が表示されると、全ての静止画像データＳ０からサムネイル画像データを生成して、サムネイル画像を含む一覧画面を表示するようにしたものである。
【００４４】
ここで、画像の中央領域には撮影の対象となる被写体が含まれていることが多いため、中央領域画像を参照すれば、その画像がどのような画像であるか理解できることが非常に多い。このため、本実施形態のように画像の中央領域画像をサムネイル画像よりも先に表示することにより、静止画像データＳ０を再生しようとしているユーザは、複数の静止画像データＳ０の全てについてサムネイル画像が一覧画面に表示されるまで待つ必要がなくなり、その結果、画像の内容を迅速に把握することができる。
【図面の簡単な説明】
【図１】本発明の実施形態による画像表示装置を適用したＤＶＤプレーヤーの構成を示す概略ブロック図
【図２】静止画像データのファイル構造の例を示す図（その１）
【図３】静止画像データのファイル構造の例を示す図（その２）
【図４】静止画像データのファイル構造の例を示す図（その３）
【図５】一覧表示された中央領域を示す図
【図６】サムネイル画像が表示されつつある一覧画面を示す図
【図７】本実施形態において行われる処理を示すフローチャート
【符号の説明】
１　　ＤＶＤプレーヤー
３　　テレビ
４　　パソコン
５　　デジタルカメラ
１１　　メディアドライブ
１２　　デコーダー
１３　　ＲＯＭ
１４　　ＲＡＭ
１５　　リモコン
１６　　受信部
１７　　テレビ端子
１８　　入出力端子
１９　　ＣＰＵ
２１　　サムネイル画像生成手段
【図１】
2004120605.tif 000003
【図２】
2004120605.tif 000004
【図３】
2004120605.tif 000005
【図４】
2004120605.tif 000006
【図５】
2004120605.tif 000007
【図６】
2004120605.tif 000008
【図７】
2004120605.tif 000009